(57)【要約】【課題】画像が目に対して過度の刺激となることを防止するときにも、大人の側で、必要に応じて、鮮やかさを失うことのない画像表示に戻すことを可能にする。【解決手段】受信した商用放送の番組内容が所定ジャンルの番組内容であることを示すときには、目に対する刺激の強さに関連する画面設定を、目に対する刺激を緩和しない画面設定である通常設定から、目に対する刺激を緩和する画面設定である刺激緩和設定に変化させる構成において、予め入力された暗証コードを記憶する記憶手段５と、暗証コードが入力される入力手段１０とを備え、刺激緩和設定となっている状態において、入力手段１０から、記憶手段５に記憶された暗証コードに一致する暗証コードが入力されたときには、刺激緩和設定を通常設定に変更可能にしている。【選択図】  図１
2005295439.tif 000002
【特許請求の範囲】
【請求項１】
番組内容を示す情報が、受信した商用放送の番組内容が所定ジャンルの番組内容であることを示すときには、目に対する刺激の強さに関連する画面設定を、目に対する刺激を緩和しない画面設定である通常設定から、目に対する刺激を緩和する画面設定である刺激緩和設定に変化させるテレビ受像機において、
予め入力された暗証コードを記憶する記憶手段と、
暗証コードが入力される入力手段と、
装置本体の周囲の明るさを検出する照度センサとを備え、
刺激緩和設定となっている状態において、入力手段から記憶手段に記憶された暗証コードに一致する暗証コードが入力されたときには、刺激緩和設定を通常設定に変更可能にし、
刺激緩和設定となるときの画面設定を照度センサの出力に対応した画面設定とし、
前記所定ジャンルをアニメーションとするとともに暗証コードを４桁の数値としたことを特徴とするテレビ受像機。
【請求項２】
番組内容を示す情報が、受信した商用放送の番組内容が所定ジャンルの番組内容であることを示すときには、目に対する刺激の強さに関連する画面設定を、目に対する刺激を緩和しない画面設定である通常設定から、目に対する刺激を緩和する画面設定である刺激緩和設定に変化させるテレビ受像機において、
予め入力された暗証コードを記憶する記憶手段と、
暗証コードが入力される入力手段とを備え、
刺激緩和設定となっている状態において、入力手段から記憶手段に記憶された暗証コードに一致する暗証コードが入力されたときには、刺激緩和設定を通常設定に変更可能にしたことを特徴とするテレビ受像機。
【請求項３】
装置本体の周囲の明るさを検出する照度センサを備え、
刺激緩和設定となるときの画面設定を照度センサの出力に対応した画面設定とすることを特徴とする請求項２記載のテレビ受像機。
【請求項４】
前記所定ジャンルはアニメーションであることを特徴とする請求項２または請求項３記載のテレビ受像機。
【請求項５】
映像信号と前記映像信号のジャンルに関する情報であるジャンル情報とが記録されたディスクを再生して得られた映像信号を出力するディスク再生装置において、
予め入力された暗証コードを記憶する記憶手段と、
暗証コードが入力される入力手段と、
装置本体の周囲の明るさを検出する照度センサとを備え、
ジャンル情報が、ディスクより再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させ、
刺激緩和設定となっている状態において、入力手段から記憶手段に記憶された暗証コードに一致する暗証コードが入力されたときには、刺激緩和設定を通常設定に変更可能にし、
刺激緩和設定となるときの映像信号における前記レベルの設定を照度センサの出力に対応したレベル設定とし、
前記所定ジャンルをアニメーションとし、
暗証コードを４桁の数値としたことを特徴とするディスク再生装置。
【請求項６】
映像信号と前記映像信号のジャンルに関する情報であるジャンル情報とが記録されたディスクを再生して得られた映像信号を出力するディスク再生装置において、
ジャンル情報が、ディスクより再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させることを特徴とするディスク再生装置。
【請求項７】
予め入力された暗証コードを記憶する記憶手段と、
暗証コードが入力される入力手段とを備え、
刺激緩和設定となっている状態において、入力手段から、記憶手段に記憶された暗証コードに一致する暗証コードが入力されたときには刺激緩和設定を通常設定に変更可能にしたことを特徴とする請求項６記載のディスク再生装置。
【請求項８】
装置本体の周囲の明るさを検出する照度センサを備え、
刺激緩和設定となるときの映像信号における前記レベルの設定を照度センサの出力に対応したレベル設定とすることを特徴とする請求項６または請求項７記載のディスク再生装置。
【請求項９】
前記所定ジャンルはアニメーションであることを特徴とする請求項６から請求項８までのいずれかに記載のディスク再生装置。
【請求項１０】
映像信号と前記映像信号のジャンルに関する情報であるジャンル情報とを互いに対応付けて映像信号記録媒体に記録するとともに、映像信号記録媒体に記録された映像信号を再生して得られた映像信号を出力する映像信号記録再生装置において、
予め入力された暗証コードを記憶する記憶手段と、
暗証コードが入力される入力手段と、
装置本体の周囲の明るさを検出する照度センサとを備え、
ジャンル情報が、再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させ、
刺激緩和設定となっている状態において、入力手段から記憶手段に記憶された暗証コードに一致する暗証コードが入力されたときには、刺激緩和設定を通常設定に変更可能にし、
刺激緩和設定となるときの映像信号における前記レベルの設定を照度センサの出力に対応したレベル設定とし、
前記所定ジャンルをアニメーションとし、
暗証コードを４桁の数値としたことを特徴とする映像信号記録再生装置。
【請求項１１】
映像信号と前記映像信号のジャンルに関する情報であるジャンル情報とを互いに対応付けて映像信号記録媒体に記録するとともに、映像信号記録媒体に記録された映像信号を再生して得られた映像信号を出力する映像信号記録再生装置において、
ジャンル情報が、再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させることを特徴とする映像信号記録再生装置。
【請求項１２】
予め入力された暗証コードを記憶する記憶手段と、
暗証コードが入力される入力手段とを備え、
刺激緩和設定となっている状態において、入力手段から記憶手段に記憶された暗証コードに一致する暗証コードが入力されたときには、刺激緩和設定を通常設定に変更可能にしたことを特徴とする請求項１１記載の映像信号記録再生装置。
【請求項１３】
装置本体の周囲の明るさを検出する照度センサを備え、
刺激緩和設定となるときの映像信号における前記レベルの設定を照度センサの出力に対応したレベル設定とすることを特徴とする請求項１１または請求項１２記載の映像信号記録再生装置。
【請求項１４】
前記所定ジャンルはアニメーションであることを特徴とする請求項１１から請求項１３までのいずれかに記載の映像信号記録再生装置。
【発明の詳細な説明】
【技術分野】
【０００１】
本発明は、受信する番組内容のジャンルが所定ジャンルとなるときには、画面設定を、目に対する刺激を緩和した設定とするテレビ受像機に関するとともに、再生する映像信号のジャンルが所定ジャンルとなるときには、外部に出力する映像信号のレベル設定を、目に対する刺激を緩和したレベル設定とするディスク再生装置および映像信号記録再生装置に関するものである。
【背景技術】
【０００２】
テレビ画面を見やすくするため、従来においては、以下に示す技術が提案されている（第１の従来技術とする）。すなわち、この技術では、テレビ受像機の周囲の明るさを検出するセンサを設け、センサの出力に基づいて、画面の輝度やコントラストを制御している（例えば、特許文献１や特許文献２参照）。
【０００３】
また、以下に示す技術が提案されている（第２の従来技術とする）。すなわち、この技術では、画像のコンテンツ情報（映画か、ドキュメントか）等に応じて、画面輝度、および、照明装置の明るさを調整することが開示されている。また、画面輝度の調整の方法は、必要に応じて白レベルを調整するものであることが開示されている。ただし、白レベルの調整は、多彩な画像を、より高画質で表示することを目的として行われるものであるとされている。また、高画質な画像を表示内容に対応させて表示させることができるとともに、目にやさしい疲労感を緩和した画像表示が可能になることも、併せて開示されている（例えば、特許文献３参照）。
【特許文献１】特開平８−１３０６９３号公報
【特許文献２】特開平１１−３３１７２６号公報
【特許文献３】特開２００３−３２３１６９号公報（第００１３、００３０、００３１段落）
【発明の開示】
【発明が解決しようとする課題】
【０００４】
しかしながら、第１の従来技術を用いる場合では、テレビ受像機の置かれた部屋が暗い場合において、アニメ画像が表示される場合にも、刺激が充分に抑制されるように輝度やコントラストを低減すると、画像の鮮やかさが少なくなることから、ニュースやドラマ等を視聴する場合には、画像のメリハリが不足するという問題があった。
【０００５】
一方、第２の従来技術では、画像のコンテンツ情報（映画か、ドキュメントか）等に応じて、白レベルを調整することにより、より高画質で画像を表示するとともに、目にやさしい疲労感を緩和した画像表示も行うようになっているので、第１の従来技術における問題は解消される。しかし、アニメ画像を、目にやさしく、且つ、疲労感を緩和した画像表示とするときでは、時によっては、画像表示の鮮やかさが欠けたものに感じられることがある。このため、画像表示が鮮やかさが欠けたものに感じられるときには、それを解消をできることが求められている。
【０００６】
また、ＤＶＤ等の光ディスクを再生して映像信号を出力する再生装置や、ハードディスクドライブを記録媒体として、映像信号の記録および再生を行う映像信号記録再生装置において、出力される映像信号が、アニメ画像を示す信号となる場合、画像を表示するテレビ受像機が置かれた部屋が暗い場合には、目に対する刺激が過度になる恐れがある。
【０００７】
本発明は、上記の問題点を解決するため創案されたものであり、その目的は、受信した番組の画像が目に対して過度の刺激となることを防止するときにも、子供には設定変更できないが、大人の側で、必要に応じて、鮮やかさを失うことのない画像表示に戻すことのでき、且つ、目に対する過度の刺激を防止するための画像を、周囲の明るさに対応した画像とすることのでき、且つ、受信する番組内容がアニメーションとなるときに、好適に、目に対する過度の刺激を防止することのでき、且つ、鮮やかさを失うことのない画像表示に戻すための操作を、秘密性と操作の容易さとの双方が両立した操作とすることのできるテレビ受像機を提供することにある。
【０００８】
また、本発明の目的は、受信した番組の画像が目に対して過度の刺激となることを防止するときにも、子供には設定変更できないが、大人の側で、必要に応じて、鮮やかさを失うことのない画像表示に戻すことのできるテレビ受像機を提供することにある。
【０００９】
また、上記目的に加え、目に対する過度の刺激を防止するための画像を、周囲の明るさに対応した画像とすることのできるテレビ受像機を提供することにある。
【００１０】
また、上記目的に加え、受信する番組内容がアニメーションとなるときに、好適に、目に対する過度の刺激を防止することのできるテレビ受像機を提供することにある。
【００１１】
また本発明の目的は、表示されるアニメ画像が、目に対して過度の刺激となることを防止することのでき、且つ、アニメ画像が目に対して過度の刺激となることを防止するときにも、子供には設定変更できないが、大人の側で、必要に応じて、鮮やかさを失うことのない画像表示に戻すことのでき、且つ、目に対する過度の刺激を防止するための画像を、周囲の明るさに対応した画像とすることのでき、且つ、再生する番組内容がアニメーションとなるときに、好適に、目に対する過度の刺激を防止することのでき、且つ、鮮やかさを失うことのない画像表示に戻すための操作を、秘密性と操作の容易さとの双方が両立した操作とすることのできるディスク再生装置、および、映像信号記録再生装置を提供することにある。
【００１２】
また本発明の目的は、表示される画像が、目に対して過度の刺激となることを防止することのできるＤＶＤ再生装置、および、映像信号記録再生装置を提供することにある。
【００１３】
また、上記目的に加え、アニメ画像が目に対して過度の刺激となることを防止するときにも、子供には設定変更できないが、大人の側で、必要に応じて、鮮やかさを失うことのない画像表示に戻すことのできるＤＶＤ再生装置、および、映像信号記録再生装置を提供することにある。
【００１４】
また、上記目的に加え、目に対する過度の刺激を防止するためのレベル設定を、周囲の明るさに対応した設定とすることのできるＤＶＤ再生装置、および、映像信号記録再生装置を提供することにある。
【００１５】
また、上記目的に加え、受信する番組内容がアニメーションとなるときに、好適に、目に対する過度の刺激を防止することのできるＤＶＤ再生装置、および、映像信号記録再生装置を提供することにある。
【課題を解決するための手段】
【００１６】
上記課題を解決するため、本発明に係るテレビ受像機は、番組内容を示す情報が、受信した商用放送の番組内容が所定ジャンルの番組内容であることを示すときには、目に対する刺激の強さに関連する画面設定を、目に対する刺激を緩和しない画面設定である通常設定から、目に対する刺激を緩和する画面設定である刺激緩和設定に変化させるテレビ受像機に適用しており、予め入力された暗証コードを記憶する記憶手段と、暗証コードが入力される入力手段と、装置本体の周囲の明るさを検出する照度センサとを備え、刺激緩和設定となっている状態において、入力手段から記憶手段に記憶された暗証コードに一致する暗証コードが入力されたときには、刺激緩和設定を通常設定に変更可能にし、刺激緩和設定となるときの画面設定を照度センサの出力に対応した画面設定とし、前記所定ジャンルをアニメーションとするとともに暗証コードを４桁の数値としている。
【００１７】
すなわち、目に対する刺激が強くなる画面が多いアニメーションを受信する場合には、目に対する刺激を緩和する画面設定である刺激緩和設定となる。そして、刺激緩和設定となるときにも、大人の側にのみ知らされた暗証コードを入力する場合には、目に対する刺激を緩和しない画面設定、すなわち、表示される画像が鮮やかとなる画面設定に戻すことができる。また、目に対する刺激を緩和する画面設定を、周囲の明るさに対して最適な設定とすることができる。また、４桁の数値を入力することでもって刺激緩和設定を解除することができる。
【００１８】
また本発明に係るテレビ受像機は、番組内容を示す情報が、受信した商用放送の番組内容が所定ジャンルの番組内容であることを示すときには、目に対する刺激の強さに関連する画面設定を、目に対する刺激を緩和しない画面設定である通常設定から、目に対する刺激を緩和する画面設定である刺激緩和設定に変化させるテレビ受像機に適用しており、予め入力された暗証コードを記憶する記憶手段と、暗証コードが入力される入力手段とを備え、刺激緩和設定となっている状態において、入力手段から記憶手段に記憶された暗証コードに一致する暗証コードが入力されたときには、刺激緩和設定を通常設定に変更可能にしている。
【００１９】
すなわち、目に対する刺激が強くなる画面が多いジャンルの番組内容を受信したことから、目に対する刺激を緩和する画面設定である刺激緩和設定となるときにも、大人の側にのみ知らされた暗証コードを入力する場合には、目に対する刺激を緩和しない画面設定、すなわち、表示される画像が鮮やかとなる画面設定に戻すことができる。
【００２０】
また上記構成に加え、装置本体の周囲の明るさを検出する照度センサを備え、刺激緩和設定となるときの画面設定を照度センサの出力に対応した画面設定としている。すなわち、目に対する刺激を緩和する画面設定を、周囲の明るさに対して最適な設定とすることができる。
【００２１】
また上記構成に加え、前記所定ジャンルをアニメーションとしている。すなわち、目に対する刺激が強い画面となることの多いアニメーションの場合には、画面設定が、目に対する刺激を緩和した設定となる。
【００２２】
また本発明に係るディスク再生装置は、映像信号と前記映像信号のジャンルに関する情報であるジャンル情報とが記録されたディスクを再生して得られた映像信号を出力するディスク再生装置に適用しており、予め入力された暗証コードを記憶する記憶手段と、暗証コードが入力される入力手段と、装置本体の周囲の明るさを検出する照度センサとを備え、ジャンル情報が、ディスクより再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させ、刺激緩和設定となっている状態において、入力手段から記憶手段に記憶された暗証コードに一致する暗証コードが入力されたときには、刺激緩和設定を通常設定に変更可能にし、刺激緩和設定となるときの映像信号における前記レベルの設定を照度センサの出力に対応したレベル設定とし、前記所定ジャンルをアニメーションとし、暗証コードを４桁の数値としている。
【００２３】
すなわち、目に対する刺激が強くなる画面が多いアニメーションの映像信号を再生するときには、映像信号における輝度やコントラストといったような、表示時の目に対する刺激の強さに関連するレベルが、刺激を緩和したレベルに設定される。また、目に対する刺激を緩和する画面設定である刺激緩和設定となるときにも、大人の側にのみ知らされた暗証コードを入力する場合には、目に対する刺激を緩和しないレベル設定、すなわち、表示される画像が鮮やかな画像となるレベル設定に戻すことができる。また、目に対する刺激を緩和するためのレベル設定を、周囲の明るさに対して最適な設定とすることができる。また、４桁の数値を入力することでもって刺激緩和設定を解除することができる。
【００２４】
また本発明に係るディスク再生装置は、映像信号と前記映像信号のジャンルに関する情報であるジャンル情報とが記録されたディスクを再生して得られた映像信号を出力するディスク再生装置に適用しており、ジャンル情報が、ディスクより再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させるようになっている。
【００２５】
すなわち、目に対する刺激が強くなる画面が多いジャンルの映像信号を再生するときには、映像信号における輝度やコントラストといったような、表示時の目に対する刺激の強さに関連するレベルが、刺激を緩和したレベルに設定される。
【００２６】
また上記構成に加え、予め入力された暗証コードを記憶する記憶手段と、暗証コードが入力される入力手段とを備え、刺激緩和設定となっている状態において、入力手段から記憶手段に記憶された暗証コードに一致する暗証コードが入力されたときには、刺激緩和設定を通常設定に変更可能にしている。
【００２７】
すなわち、目に対する刺激が強くなる画面が多いジャンルの映像信号を再生したことから、目に対する刺激を緩和する画面設定である刺激緩和設定となるときにも、大人の側にのみ知らされた暗証コードを入力する場合には、目に対する刺激を緩和しないレベル設定、すなわち、表示される画像が鮮やかな画像となるレベル設定に戻すことができる。
【００２８】
また上記構成に加え、装置本体の周囲の明るさを検出する照度センサを備え、刺激緩和設定となるときの映像信号における前記レベルの設定を照度センサの出力に対応したレベル設定としている。すなわち、目に対する刺激を緩和するためのレベル設定を、周囲の明るさに対して最適な設定とすることができる。
【００２９】
また上記構成に加え、前記所定ジャンルをアニメーションとしている。すなわち、目に対する刺激が強い画面となることの多いアニメーションの場合には、レベル設定が、目に対する刺激を緩和した設定となる。
【００３０】
また本発明に係る映像信号記録再生装置は、映像信号と前記映像信号のジャンルに関する情報であるジャンル情報とを互いに対応付けて映像信号記録媒体に記録するとともに、映像信号記録媒体に記録された映像信号を再生して得られた映像信号を出力する映像信号記録再生装置に適用しており、予め入力された暗証コードを記憶する記憶手段と、暗証コードが入力される入力手段と、装置本体の周囲の明るさを検出する照度センサとを備え、ジャンル情報が、再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させ、刺激緩和設定となっている状態において、入力手段から記憶手段に記憶された暗証コードに一致する暗証コードが入力されたときには、刺激緩和設定を通常設定に変更可能にし、刺激緩和設定となるときの映像信号における前記レベルの設定を照度センサの出力に対応したレベル設定とし、前記所定ジャンルをアニメーションとし、暗証コードを４桁の数値としている。
【００３１】
すなわち、目に対する刺激が強くなる画面が多いアニメーションの映像信号を再生するときには、映像信号における輝度やコントラストといったような、表示時の目に対する刺激の強さに関連するレベルが、刺激を緩和したレベルに設定される。また、目に対する刺激を緩和する画面設定である刺激緩和設定となるときにも、大人の側にのみ知らされた暗証コードを入力する場合には、目に対する刺激を緩和しないレベル設定、すなわち、表示される画像が鮮やかな画像となるレベル設定に戻すことができる。また、目に対する刺激を緩和するためのレベル設定を、周囲の明るさに対して最適な設定とすることができる。また、４桁の数値を入力することでもって、刺激緩和設定を解除することができる。
【００３２】
また本発明に係る映像信号記録再生装置は、映像信号と前記映像信号のジャンルに関する情報であるジャンル情報とを互いに対応付けて映像信号記録媒体に記録するとともに、映像信号記録媒体に記録された映像信号を再生して得られた映像信号を出力する映像信号記録再生装置に適用しており、ジャンル情報が、再生する映像信号が所定ジャンルであることを示すときには、出力する映像信号における輝度やコントラストといったような、表示時における目に対する刺激の強さに関連するレベルを、目に対する刺激を緩和しないレベル設定である通常設定から、目に対する刺激を緩和するレベル設定である刺激緩和設定に変化させるようになっている。
【００３３】
すなわち、目に対する刺激が強くなる画面が多いジャンルの映像信号を再生するときには、映像信号における輝度やコントラストといったような、表示時の目に対する刺激の強さに関連するレベルが、刺激を緩和したレベルに設定される。
【００３４】
また上記構成に加え、予め入力された暗証コードを記憶する記憶手段と、暗証コードが入力される入力手段とを備え、刺激緩和設定となっている状態において、入力手段から記憶手段に記憶された暗証コードに一致する暗証コードが入力されたときには、刺激緩和設定を通常設定に変更可能にしている。
【００３５】
すなわち、目に対する刺激が強くなる画面が多いジャンルの映像信号を再生したことから、目に対する刺激を緩和する画面設定である刺激緩和設定となるときにも、大人の側にのみ知らされた暗証コードを入力する場合には、目に対する刺激を緩和しないレベル設定、すなわち、表示される画像が鮮やかな画像となるレベル設定に戻すことができる。
【００３６】
また上記構成に加え、装置本体の周囲の明るさを検出する照度センサを備え、刺激緩和設定となるときの映像信号における前記レベルの設定を、照度センサの出力に対応したレベル設定としている。すなわち、目に対する刺激を緩和するためのレベル設定を、周囲の明るさに対して最適な設定とすることができる。
【００３７】
また上記構成に加え、前記所定ジャンルをアニメーションとしている。すなわち、目に対する刺激が強い画面となることの多いアニメーションの場合には、レベル設定が、目に対する刺激を緩和した設定となる。
【発明の効果】
【００３８】
本発明のテレビ受像機によれば、目に対する刺激が強くなる画面が多いアニメーションを受信する場合には、目に対する刺激を緩和する画面設定である刺激緩和設定となる。そして、刺激緩和設定となるときにも、暗証コードを入力する場合には、目に対する刺激を緩和しない画面設定、すなわち、表示される画像が鮮やかとなる画面設定に戻すことができる。また、目に対する刺激を緩和する画面設定を、周囲の明るさに対して最適な設定とすることができる。また、４桁の数値を入力することでもって、刺激緩和設定を解除することができる。このため、アニメ画像が子供の目に対して過度の刺激となることを防止するときにも、大人の側で、必要に応じて、鮮やかさを失うことのない画像表示に戻すことができ、且つ、目に対する過度の刺激を防止するための画像を、周囲の明るさに対応した画像とすることができ、且つ、受信する番組内容がアニメーションとなるときに、好適に、目に対する過度の刺激を防止することができ、且つ、鮮やかさを失うことのない画像表示に戻すための操作を、秘密性と操作の容易さとの双方が両立した操作とすることができる。
【００３９】
また本発明のテレビ受像機によれば、目に対する刺激が強くなる画面が多いジャンルの番組内容を受信したことから、目に対する刺激を緩和する画面設定である刺激緩和設定となるときにも、暗証コードを入力する場合には、目に対する刺激を緩和しない画面設定、すなわち、表示される画像が鮮やかとなる画面設定に戻すことができるので、受信した番組の画像が目に対して過度の刺激となることを防止するときにも、大人の側で、必要に応じて、鮮やかさを失うことのない画像表示に戻すことができる。
【００４０】
またさらに、刺激緩和設定となるときの画面設定を、照度センサの出力に対応した画面設定としている。このため、目に対する過度の刺激を防止するための画面設定を、周囲の明るさに対応した設定とすることができる。
【００４１】
またさらに、目に対する刺激が強い画面となることの多いアニメーションの場合には、画面設定が、目に対する刺激を緩和した設定となるので、受信する番組内容がアニメーションとなるときに、好適に、目に対する過度の刺激を防止することができる。
【００４２】
また本発明のディスク再生装置によれば、目に対する刺激が強くなる画面が多いアニメーションの映像信号を再生するときには、映像信号における輝度やコントラストといったような、表示時の目に対する刺激の強さに関連するレベルが、刺激を緩和したレベルに設定される。また、刺激緩和設定となるときにも、暗証コードを入力する場合には、目に対する刺激を緩和しないレベル設定、すなわち、表示される画像が鮮やかな画像となるレベル、設定に戻すことができる。また、目に対する過度の刺激を緩和するためのレベル設定を、周囲の明るさに対応した設定とすることができる。また、４桁の数値を入力することでもって、刺激緩和設定を解除することができる。このため、表示される画像が目に対して過度の刺激となることを防止することができ、且つ、表示される画像が目に対して過度の刺激となることを防止するときにも、大人の側で、必要に応じて、鮮やかさを失うことのない画像表示に戻すことができ、且つ、目に対する過度の刺激を防止するためのレベル設定を、周囲の明るさに対応した設定とすることができ、且つ、再生する番組内容がアニメーションとなるときに、好適に、目に対する過度の刺激を防止することができ、且つ、鮮やかさを失うことのない画像表示に戻すための操作を、秘密性と操作の容易さとの双方が両立した操作とすることができる。
【００４３】
また本発明のディスク再生装置によれば、目に対する刺激が強くなる画面が多いジャンルの映像信号を再生するときには、映像信号における輝度やコントラストといったような、表示時の目に対する刺激の強さに関連するレベルが、刺激を緩和したレベルに設定される。このため、表示される画像が、目に対して過度の刺激となることを防止することができる。
【００４４】
またさらに、目に対する刺激を緩和する画面設定である刺激緩和設定となるときにも、暗証コードを入力する場合には、目に対する刺激を緩和しないレベル設定、すなわち、表示される画像が鮮やかな画像となるレベル、設定に戻すことができる。このため、表示される画像が目に対して過度の刺激となることを防止するときにも、大人の側で、必要に応じて、鮮やかさを失うことのない画像表示に戻すことができる。
【００４５】
またさらに、目に対する刺激を緩和するためのレベル設定を、周囲の明るさに対して最適な設定とすることができるので、目に対する過度の刺激を防止するためのレベル設定を、周囲の明るさに対応した設定とすることができる。
【００４６】
またさらに、アニメーションの場合には、レベル設定が、目に対する刺激を緩和した設定となるので、再生する映像信号がアニメーションとなるときに、好適に、目に対する過度の刺激を防止することができる。
【００４７】
また本発明の映像信号記録再生装置によれば、目に対する刺激が強くなる画面が多いアニメーションの映像信号を再生するときには、映像信号における輝度やコントラストといったような、表示時の目に対する刺激の強さに関連するレベルが、刺激を緩和したレベルに設定される。また、刺激緩和設定となるときにも、暗証コードを入力する場合には、目に対する刺激を緩和しないレベル設定、すなわち、表示される画像が鮮やかな画像となるレベル設定に戻すことができる。また、目に対する刺激を緩和するためのレベル設定を、周囲の明るさに対して最適な設定とすることができる。また、４桁の数値を入力することでもって刺激緩和設定を解除することができる。このため、表示される画像が目に対して過度の刺激となることを防止することができ、且つ、表示される画像が目に対して過度の刺激となることを防止するときにも、大人の側で、必要に応じて、鮮やかさを失うことのない画像表示に戻すことができ、且つ、目に対する過度の刺激を防止するためのレベル設定を、周囲の明るさに対応した設定とすることができ、且つ、再生する番組内容がアニメーションとなるときに、好適に、目に対する過度の刺激を防止することができ、且つ、鮮やかさを失うことのない画像表示に戻すための操作を、秘密性と操作の容易さとの双方が両立した操作とすることができる。
【００４８】
また本発明の映像信号記録再生装置によれば、目に対する刺激が強くなる画面が多いジャンルの映像信号を再生するときには、映像信号における輝度やコントラストといったような、表示時の目に対する刺激の強さに関連するレベルが、刺激を緩和したレベルに設定される。このため、表示される画像が目に対して過度の刺激となることを防止することができる。
【００４９】
またさらに、目に対する刺激を緩和する画面設定である刺激緩和設定となるときにも、暗証コードを入力する場合には、目に対する刺激を緩和しないレベル設定、すなわち、表示される画像が鮮やかな画像となるレベル設定に戻すことができる。このため、表示される画像が目に対して過度の刺激となることを防止するときにも、大人の側で、必要に応じて、鮮やかさを失うことのない画像表示に戻すことができる。
【００５０】
またさらに、目に対する刺激を緩和するためのレベル設定を、周囲の明るさに対して最適な設定とすることができるので、目に対する過度の刺激を防止するためのレベル設定を、周囲の明るさに対応した設定とすることができる。
【００５１】
またさらに、アニメーションの場合には、レベル設定が、目に対する刺激を緩和した設定となるので、再生する映像信号がアニメーションとなるときに、好適に、目に対する過度の刺激を防止することができる。
【発明を実施するための最良の形態】
【００５２】
以下、本発明の実施の形態について図を参照して説明する。
【００５３】
図１は、本発明に係るテレビ受像機の一実施形態の電気的構成を示すブロック線図である。
【００５４】
図において、チューナ部１は、制御部４によって指示されたチャンネルの商用放送を受信するととも、受信して得られた映像信号を映像信号処理部２に出力する。なお、チューナ部１が受信する商用放送には、番組内容を示す情報（番組のジャンル等を含む情報）であるＥＰＧ（Ｅｌｅｃｔｒｉｃ  Ｐｒｏｇｒａｍ  Ｇｕｉｄｅ）が含まれている。このため、チューナ部１から出力される信号は、映像信号と、番組内容を示す情報とが含まれた信号となっている。
【００５５】
映像信号処理部２は、チューナ部１から出力される映像信号に所定処理を施すことによって、ＣＲＴ３を駆動するための信号（３つの原色色信号）を生成する。なお、この色信号により示される画像の輝度やコントラスト等は、制御部４からの指示に従ったレベルに設定される。映像信号処理部２の内部に設けられたデータ分離部９は、チューナ部１より出力される信号から、番組内容を示す情報を分離するとともに、分離した情報を制御部４に出力する。
【００５６】
入力回路部６は、装置本体（図４の６１）の前面パネルに設けられた電源キー等の複数のキースイッチや、リモートコントローラ７から送信される赤外線信号を受光する受光ユニット等を備えており、ユーザから入力された指示を受け取って制御部４に出力する。なお、請求項記載の入力手段１０は、入力回路部６とリモートコントローラ７とにより構成されている。
【００５７】
メモリ５は、不揮発性のメモリ素子によって構成されており、受信するチャンネルに関する情報等のように、電源オフとなるときにも消えてはならない情報を記憶する。また、請求項記載の記憶手段ともなっており、暗証コードである４桁の数値を記憶する。照度センサ８は、図４に示したように、装置本体６１の前面パネルに設けられ、装置本体６１の周囲の明るさ（装置本体が置かれた部屋の明るさ）を検出するセンサとなっていて、検出結果を制御部４に出力する。
【００５８】
制御部４は、マイクロコンピュータを主要部として構成されており、テレビ受像機としての主要動作を制御する。すなわち、リモートコントローラ７等に入力されたチャンネルの指示に従って、チューナ部１が受信するチャンネルを制御する。また、リモートコントローラ７に入力された音量の増減の指示に従って、図示されない音声信号経路を制御し、音量を増減させる。
【００５９】
また、制御部４は、データ分離部９より出力される番組内容を示す情報が、受信中の番組のジャンルがアニメーションであることを示する場合、目に対する刺激の強さに関連する画面設定（輝度とコントラスト）を、目に対する刺激を緩和しない画面設定である通常設定から、目に対する刺激を緩和する画面設定である刺激緩和設定に変化させる。すなわち、受信中の番組がアニメーションであるときには、映像信号処理部２において生成される色信号の輝度とコントラストとを、アニメーション以外の番組を受信しているときの設定より低いレベルに設定することでもって、目に対する刺激を緩和する。
【００６０】
なお、通常設定から刺激緩和設定に移行するときには、照度センサ８の出力に基づき、輝度の低減量とコントラストの低減量とを算出する。そして、算出されたレベル分だけ、輝度およびコントラストを低減する。すなわち、照度センサ８の検出結果が、部屋が明るいことを示すときには、通常設定から刺激緩和設定に移行するときの輝度やコントラストの低減量を少なくする。一方、照度センサ８の検出結果が、部屋が暗いことを示すときには、通常設定から刺激緩和設定に移行するときの輝度やコントラストの低減量を大きくする。
【００６１】
また、制御部４は、初期設定の１つとして設けられた暗証コード設定となる場合、リモートコントローラ７を用いて入力された４桁の数値を暗証コードとみなし、入力された４桁の数値をメモリ５に記憶する。そして、受信した番組のジャンルがアニメーションであることから、画面設定を刺激緩和設定としているときに、４桁の数値が暗証コードとして入力され、且つ、入力された４桁の数値がメモリ５に記憶された４桁の数値に一致する場合、刺激緩和設定の解除キーが操作されると、刺激緩和設定を解除して通常設定に移行する。すなわち、アニメーション番組を受信したことから、画面設定が刺激緩和設定となっているときに、４桁の暗証コードを入力すると、刺激緩和設定を解除して、画像が鮮やかになる通常設定に戻すことができるようになっている。
【００６２】
図２は、テレビ受像機の実施形態の主要動作を示すフローチャートである。必要に応じて同図を参照しつつ、実施形態の動作を説明する。
【００６３】
リモートコントローラ７の電源キー（図示を省略）が操作されて電源がオンになると、制御部４は、電源がオフになる前に受信してチャンネルの受信を開始する（ステップＳ１）。次いで、現在受信中のチャンネルの番組内容を示す情報（データ分離部９から出力される情報）を取得し（ステップＳ２）、取得した情報から、受信中の番組内容のジャンルを調べる（ステップＳ３）。そして、受信している番組内容のジャンルがアニメーションであることが判明したときには、照度センサ８の出力に基づき、輝度の低減量とコントラストの低減量とを算出する（ステップＳ４，Ｓ５）。そして後、算出したレベル分だけ、輝度とコントラストとを低減する（ステップＳ６）。
【００６４】
なお、上記したステップＳ５において算出される輝度やコントラストの低減量は、図３に示したように、照度センサ８の出力が、部屋が明るいことを示す場合には、小さい値となる（ａ１により示す）。また、照度センサ８の出力が、部屋が暗いことを示す場合には、大きい値となる（ａ２により示す）。すなわち、部屋の明るさが所定値Ｔｈより明るい場合には、部屋の明るさに関わりなく、常に一定量だけ、輝度とコントラストとが低減される。そして、部屋の明るさが所定値Ｔｈより暗くなる場合には、暗くなる程に、輝度の低減量とコントラストの低減量とは大きくなる（レベルＬは、ユーザによって予め設定された輝度（コントラスト）のレベルを示している）。
【００６５】
以上のことから、刺激緩和設定となる場合、部屋が充分に暗いときには、その暗さに対応する分だけ、輝度とコントラストとが低減され、目に対する過度な刺激が緩和されるようになっている。また、部屋が充分に明るいときであっても、刺激緩和設定となるときには、輝度やコントラストが、通常設定の場合より抑制されるようになっていて、アニメーション画像において急激な色の変化等が生じるときにも、目に過度な刺激が与えられることを防止するようになっている。
【００６６】
ステップＳ６によって輝度とコントラストとを低減する刺激緩和設定に移行した後には、制御部４は、暗証コードが入力されたかどうか、チャンネルの切り換えが入力されたかどうかを調べるループ動作に移行する（ステップＳ７，Ｓ８）。そして、暗証コードが入力されたときには、動作を、ステップＳ７からステップＳ１１に移行し、入力された４桁の数値が、メモリ５に記憶された４桁の数値に一致するかどうかを調べる。
【００６７】
そして、入力された４桁の数値がメモリ５に記憶された４桁の数値に一致する場合、刺激緩和設定の解除キー（決定キー等のように、その他の用途に用いるキースイッチを解除キーに割り当てることができる）が操作されたかどうかを調べる（ステップＳ１２）。解除キーが操作されたときには、輝度の低減とコントラストの低減とを解除することによって、刺激緩和設定から通常設定に移行する（ステップＳ１４）。そして後、チャンネルの切り換えが入力されたかどうかを調べるループ動作に移行する（ステップＳ１５）。
【００６８】
一方、暗証コードが一致した後に操作されたキースイッチが、解除キーとは異なるキースイッチの場合、あるいは、入力された数値がメモリ５に記憶された数値に一致しない場合には、操作が無効であることを表示した後（ステップＳ１３）、暗証コードが入力されたかどうか、チャンネルの切り換えが入力されたかどうかを調べるループ動作に移行する（ステップＳ７，Ｓ８）。
【００６９】
一方、受信中の番組内容のジャンルがアニメーションであるかどうかを判定するステップＳ４において、アニメーションではないと判定された場合、すなわち、受信中の番組内容のジャンルが、アニメーションではなく、ニュースやドラマ、あるいは、スポーツ等である場合には、動作は、ステップＳ４からステップＳ１４に移行する。そして、ステップＳ１４に移行する前の設定が刺激緩和設定であるときには、輝度の低減とコントラストの低減とを解除することによって、刺激緩和設定から通常設定に移行する。また、ステップＳ１４に移行する前の設定が通常設定であるときには、その状態を維持する。そして後、チャンネルの切り換えが入力されたかどうかを調べるループ動作に移行する（ステップＳ１５）。
【００７０】
そして、ステップＳ７，Ｓ８により構成されるループ動作、あるいは、ステップＳ１５によるループ動作において、チャンネルの切り換えを指示するキー操作がリモートコントローラ７等に入力されると、動作をステップＳ９に移行し、受信するチャンネルを、指示されたチャンネルに変更する。そして後、動作をステップＳ２に移行することによって、受信中の番組内容を示す情報の取得を行う。以下、同様の動作が繰り返される。
【００７１】
図５は、本発明に係るディスク再生装置の一実施形態の電気的構成を示すブロック線図であり、具体的には、ＤＶＤ再生装置を示している。
【００７２】
図において、ＤＶＤ１１は、映像信号が記録されるとともに、記録された映像信号のジャンルを示すジャンル情報が記録されたディスクとなっており、スピンドルモータ１２によって線速度が所定速度となるように回転駆動される。ピックアップ１３は、ＤＶＤ１１に記録されたデータ（映像信号を示すデータやジャンル情報を示すデータ等）を読み取って得られた信号を信号処理部１４に出力する。
【００７３】
信号処理部１４は、ピックアップ１３の出力からデジタルデータを復調するとともに、復調したデジタルデータのエラー訂正を行う。そして、エラー訂正されたデータをデコード部１５に出力する。また、エラー訂正したデータ中に含まれるジャンル情報を制御部１７に出力する。
【００７４】
デコード部１５は、信号処理部１４より出力されるデータのうちのプログラムストリームをＭＰＥＧ方式で伸長した後、伸長によって得られた映像信号の輝度レベルおよびコントラストレベルを、制御部１７からの指示に従ったレベルに設定して、Ａ／Ｄ変換部１６に出力する。また、オーディオストリームを伸長して、図示されない音声信号回路に出力する。また、サブピクチャストリームの伸長を行い、映像信号に重畳する。Ａ／Ｄ変換部１６は、デコード部１５より出力される映像信号を、アナログ方式の映像信号１６１に変換し、外部に出力する。
【００７５】
入力回路部１９は、装置本体（図７の６４により示す）の前面パネルに設けられた電源キー等の複数のキースイッチや、リモートコントローラ２０から送信される赤外線信号を受光する受光ユニット等を備えており、ユーザから入力された指示を受け取って制御部１７に出力する。なお、請求項記載の入力手段２２は、入力回路部１９とリモートコントローラ２０とにより構成されている。
【００７６】
メモリ１８は、不揮発性のメモリ素子によって構成されており、直前に再生を中断したときの再生位置を示す情報等のように、電源オフとなるときにも消えてはならない情報を記憶する。また、請求項記載の記憶手段ともなっており、暗証コード（パレンタルロックのレベル設定に使用されるパレンタルコードが共用されるようになっている）である４桁の数値を記憶する。照度センサ２１は、図７に示したように、装置本体６４の前面パネルに設けられ、装置本体６４の周囲の明るさ（装置本体が置かれた部屋の明るさ）を検出するセンサとなっていて、検出結果を制御部１７に出力する。
【００７７】
制御部１７は、マイクロコンピュータを主要部として構成されており、ＤＶＤ再生装置としての主要動作を制御する。すなわち、リモートコントローラ２０等に入力されたユーザからの指示に従って、ＤＶＤ１１を再生するための制御、早送りや早戻しを行うための制御等を行う。
【００７８】
また、制御部１７は、信号処理部１４より出力されるジャンル情報が、再生するプログラム（映像信号）のジャンルがアニメーションであることを示す場合、出力する映像信号において、目に対する刺激の強さに関連する信号レベル（輝度とコントラスト）を、目に対する刺激を緩和しないレベル設定である通常設定から、目に対する刺激を緩和するレベル設定である刺激緩和設定に変化させる。すなわち、再生するプログラムのジャンルがアニメーションであるときには、外部に出力される映像信号１６１における輝度とコントラストとを、アニメーション以外のプログラムを再生しているときの設定より低いレベルに設定することでもって、目に対する刺激を緩和する。
【００７９】
なお、通常設定から刺激緩和設定に移行するときには、照度センサ２１の出力に基づき、輝度の低減量とコントラストの低減量とを算出する。そして、算出されたレベル分だけ、輝度およびコントラストを低減する。すなわち、照度センサ２１の検出結果が、部屋が明るいことを示すときには、通常設定から刺激緩和設定に移行するときの輝度やコントラストの低減量を少なくする。一方、照度センサ２１の検出結果が、部屋が暗いことを示すときには、通常設定から刺激緩和設定に移行するときの輝度やコントラストの低減量を大きくする。
【００８０】
また、制御部１７は、初期設定の１つとして設けられた暗証コード設定となる場合、リモートコントローラ２０を用いて入力された４桁の数値を暗証コードとみなし、入力された４桁の数値をメモリ１８に記憶する。そして、再生するプログラムのジャンルがアニメーションであることから、映像信号１６１のレベル設定を刺激緩和設定としているときに、４桁の数値が暗証コードとして入力され、且つ、入力された４桁の数値がメモリ１８に記憶された４桁の数値に一致する場合、刺激緩和設定の解除キーが操作されると、刺激緩和設定を解除して通常設定に移行する。すなわち、アニメーションを再生していることから、映像信号１６１のレベル設定が刺激緩和設定となっているときに、４桁の暗証コードを入力すると、刺激緩和設定を解除して、画像が鮮やかになる通常設定に戻すことができるようになっている。
【００８１】
図６は、ＤＶＤ再生装置の実施形態の主要動作を示すフローチャートである。必要に応じて同図を参照しつつ、実施形態の動作を説明する。
【００８２】
ＤＶＤ１１が取り換えられると、制御部１７は、ピックアップ１３によってＤＶＤ１１から読み取られ、信号処理部１４から出力されるジャンル情報をメモリ１８に記憶する（ステップＳ２２）。そして、リモートコントローラ２０の再生キー（図示を省略）が操作されると、制御部１７は、メモリ１８に記憶したジャンル情報に基づき、ＤＶＤ１１から再生するプログラム（映像信号）がアニメーションであるかどうかを調べる（ステップＳ２３，Ｓ２４）。
【００８３】
そして、再生するプログラムのジャンルがアニメーションであることが判明したときには、照度センサ２１の出力に基づき、輝度の低減量とコントラストの低減量とを算出する（ステップＳ２５）。そして後、デコード部１５を制御することによって、算出したレベル分だけ、外部に出力する映像信号１６１の輝度とコントラストとを低減する（ステップＳ２６）。
【００８４】
なお、上記したステップＳ２５において算出される輝度やコントラストの低減量は、図３に示したように、照度センサ２１の出力が、部屋が明るいことを示す場合には、小さい値となる（ａ１により示す）。また、照度センサ２１の出力が、部屋が暗いことを示す場合には大きい値となる（ａ２により示す）。すなわち、部屋の明るさが所定値Ｔｈより明るい場合には、部屋の明るさに関わりなく、常に一定量だけ、輝度とコントラストとが低減される。そして、部屋の明るさが所定値Ｔｈより暗くなる場合には、暗くなる程に、輝度の低減量とコントラストの低減量とは大きくなる（レベルＬは、デコード部１５において、通常設定となるときに設定される輝度（コントラスト）のレベルを示している）。
【００８５】
以上のことから、刺激緩和設定となる場合、部屋が充分に暗いときには、その暗さに対応する分だけ、輝度とコントラストとが低減され、目に対する過度な刺激が緩和されるようになっている。また、部屋が充分に明るいときであっても、刺激緩和設定となるときには、輝度やコントラストが、通常設定の場合より抑制されるようになっていて、アニメーション画像において急激な色の変化等が生じるときにも、目に過度な刺激が与えられることを防止するようになっている。
【００８６】
ステップＳ２６によって輝度とコントラストとを低減した刺激緩和設定に移行した後には、制御部１７は、暗証コードが入力されたかどうか、再生の停止が入力されたかどうかを調べるループ動作に移行する（ステップＳ２７，Ｓ２８）。そして、暗証コードが入力されたときには、動作を、ステップＳ２７からステップＳ３１に移行し、入力された４桁の数値が、メモリ１８に記憶された４桁の数値に一致するかどうかを調べる。
【００８７】
そして、入力された４桁の数値がメモリ１８に記憶された４桁の数値に一致する場合、刺激緩和設定の解除キー（決定キー等のように、その他の用途に用いるキースイッチを解除キーに割り当てることができる）が操作されたかどうかを調べる（ステップＳ３２）。解除キーが操作されたときには、輝度の低減とコントラストの低減とを解除することによって、刺激緩和設定から通常設定に移行する（ステップＳ３４）。そして後、再生の停止の指示が入力されたかどうかを調べるループ動作に移行する（ステップＳ３５）。
【００８８】
一方、暗証コードが一致した後に操作されたキースイッチが、解除キーとは異なるキースイッチの場合、あるいは、入力された数値がメモリ１８に記憶された数値に一致しない場合には、操作が無効であることを示すメッセージを映像信号に重畳することによって、操作が無効であることを、映像信号１６１が導かれたテレビ受像機において表示する（ステップＳ３３）。そして後、暗証コードが入力されたかどうか、再生の停止が入力されたかどうかを調べるループ動作に移行する（ステップＳ２７，Ｓ２８）。
【００８９】
一方、再生するプログラムのジャンルがアニメーションであるかどうかを判定するステップＳ２４において、アニメーションではないと判定された場合、すなわち、再生するプログラムのジャンルが、アニメーションではなく、俳優等によって演じられる画像からなる映画等のように、通常の画像からなる場合には、動作は、ステップＳ２４からステップＳ３４に移行する。そして、ステップＳ３４に移行する前の設定が刺激緩和設定であるときには、映像信号１６１における輝度の低減とコントラストの低減とを解除することによって、刺激緩和設定から通常設定に移行する。また、ステップＳ３４に移行する前の設定が通常設定であるときには、その状態を維持する。そして後、再生の停止が入力されたかどうかを調べるループ動作に移行する（ステップＳ３５）。
【００９０】
そして、ステップＳ２７，Ｓ２８により構成されるループ動作、あるいは、ステップＳ３５によるループ動作において、再生の停止を指示するキー操作がリモートコントローラ２０等に入力されると、再生を停止する（ステップＳ２９）。
【００９１】
図８は、本発明に係る映像信号記録再生装置の一実施形態の電気的構成を示すブロック線図であり、具体的には、ハードディスクドライブを映像信号記録媒体とする映像信号記録再生装置を示している。
【００９２】
図において、チューナ部３１は、制御部３５によって指示されたチャンネルの商用放送を受信するととも、受信して得られた映像信号を記録再生信号処理部３３に出力する。なお、チューナ部３１が受信する商用放送には、番組内容を示す情報（番組のジャンル等を含む情報）であるＥＰＧ（Ｅｌｅｃｔｒｉｃ  Ｐｒｏｇｒａｍ  Ｇｕｉｄｅ）が含まれている。このため、チューナ部３１から出力される信号は、映像信号と、番組内容を示す情報とが含まれた信号となっている。
【００９３】
記録再生信号処理部３３は、チューナ部３１から出力される映像信号に所定処理を施すことによって、チューナ部３１から出力される映像信号を、ハードディスクドライブ（以下では、ＨＤＤと称する）３２に記録するための圧縮デジタル信号に変換する。また、データ分離部４５を用いて、チューナ部３１から出力される映像信号より、番組内容を示す情報を取り出す。そして、取り出した番組内容を示す情報（ジャンル情報を含む情報）を、圧縮デジタル信号に対応付けてＨＤＤ３２に記憶する。
【００９４】
また、ＨＤＤ３２に記録された圧縮デジタル信号を読み出した後、伸長することによってデジタル映像信号を復調し、Ａ／Ｄ変換部３４に出力する。なお、このとき、伸長によって得られたデジタル映像信号の輝度レベル、および、コントラストレベルを、制御部３５の指示に従ったレベルに設定する。また、読み出す圧縮デジタル信号に対応付けて記憶された番組内容を示す情報を読み出し、制御部３５に出力する。
【００９５】
Ａ／Ｄ変換部３４は、記録再生信号処理部３３より出力されるデジタル映像信号を、アナログ方式の映像信号３４１に変換し、外部に出力する。
【００９６】
入力回路部３７は、装置本体（図１１の６８）の前面パネルに設けられた電源キー等の複数のキースイッチや、リモートコントローラ３８から送信される赤外線信号を受光する受光ユニット等を備えており、ユーザから入力された指示を受け取って制御部３５に出力する。なお、請求項記載の入力手段３９は、入力回路部３７とリモートコントローラ３８とにより構成されている。
【００９７】
メモリ３６は、不揮発性のメモリ素子によって構成されており、暗証コードである４桁の数値、等を記憶する。照度センサ４０は、装置本体６８の前面パネルに設けられ、装置本体６８の周囲の明るさ（装置本体が置かれた部屋の明るさ）を検出するセンサとなっていて、検出結果を制御部３５に出力する。
【００９８】
制御部３５は、マイクロコンピュータを主要部として構成されており、映像信号記録再生装置としての主要動作を制御する。すなわち、リモートコントローラ２０等に入力されたユーザからの指示に従って、チューナ部３１が受信するチャンネルを制御する。また、リモートコントローラ２０等に入力されたユーザからの指示に従って、ＨＤＤ３２に映像信号を記録するための制御、および、ＨＤＤ３２に記録された映像信号を再生するための制御、等を行う。
【００９９】
また、制御部３５は、再生する映像信号に対応付けて記憶された番組内容を示す情報がよって、再生する映像信号のジャンルがアニメーションであることを示す場合、出力する映像信号３４１において、目に対する刺激の強さに関連する信号レベル（輝度とコントラスト）を、目に対する刺激を緩和しないレベル設定である通常設定から、目に対する刺激を緩和するレベル設定である刺激緩和設定に変化させる。すなわち、再生する映像信号のジャンルがアニメーションであるときには、外部に出力される映像信号３４１における輝度とコントラストとを、アニメーション以外の映像信号を再生しているときの設定より、低いレベルに設定することでもって、目に対する刺激を緩和する。
【０１００】
なお、通常設定から刺激緩和設定に移行するときには、照度センサ４０の出力に基づき、輝度の低減量とコントラストの低減量とを算出する。そして、算出されたレベル分だけ、輝度およびコントラストを低減する。すなわち、照度センサ４０の検出結果が、部屋が明るいことを示すときには、通常設定から刺激緩和設定に移行するときの輝度やコントラストの低減量を少なくする。一方、照度センサ４０の検出結果が、部屋が暗いことを示すときには、通常設定から刺激緩和設定に移行するときの輝度やコントラストの低減量を大きくする。
【０１０１】
また、制御部３５は、初期設定の１つとして設けられた暗証コード設定となる場合、リモートコントローラ３８を用いて入力された４桁の数値を暗証コードとみなし、入力された４桁の数値をメモリ３６に記憶する。そして、再生するプログラムのジャンルがアニメーションであることから、映像信号３４１のレベル設定を刺激緩和設定としているとき、４桁の数値が暗証コードとして入力され、且つ、入力された４桁の数値がメモリ３６に記憶された４桁の数値に一致する場合、刺激緩和設定の解除キーが操作されると、刺激緩和設定を解除して通常設定に移行する。すなわち、アニメーションを再生していることから、映像信号３４１のレベル設定が刺激緩和設定となっているときに、４桁の暗証コードを入力すると、刺激緩和設定を解除して、画像が鮮やかになる通常設定に戻すことができるようになっている。
【０１０２】
図９は、映像信号記録再生装置の実施形態の記録時の主要動作を示すフローチャート、図１０は、再生時の主要動作を示すフローチャートである。必要に応じて同図を参照しつつ、実施形態の動作を説明する。
【０１０３】
リモートコントローラ３８に記録の指示が入力されると（ステップＳ４１）、制御部３５は、データ分離部４５より出力される番組内容を示す情報を読み取る（ステップＳ４２）。そして、読み取った番組内容を示す情報を、チューナ部３１より出力される映像信号に対応付けて、ＨＤＤ３２に記録させる（ステップＳ４３）。
【０１０４】
上記動作によって、ＨＤＤ３２には、映像信号と、映像信号のジャンルを示す番組内容を示す情報とが、互いに対応付けられた形で記録されているとする。この状態において、リモートコントローラ３８の再生キー（図示を省略）が操作されると（ステップＳ５２）、制御部３５は、再生を指示された映像信号に対応付けて記録された番組内容を示す情報を読み出し（ステップＳ５３）、再生を指示された映像信号のジャンルが、アニメーションであるかどうかを調べる（ステップＳ５４）。
【０１０５】
そして、再生する映像信号のジャンルがアニメーションであることが判明したときには、照度センサ４０の出力に基づき、輝度の低減量とコントラストの低減量とを算出する（ステップＳ５５）。そして後、記録再生信号処理部３３を制御することによって、算出したレベル分だけ、外部に出力する映像信号３４１の輝度とコントラストとを低減する（ステップＳ５６）。
【０１０６】
なお、上記したステップＳ５５において算出される輝度やコントラストの低減量は、図３に示したように、照度センサ４０の出力が、部屋が明るいことを示す場合には、小さい値となる（ａ１により示す）。また、照度センサ４０の出力が、部屋が暗いことを示す場合には、大きい値となる（ａ２により示す）。すなわち、部屋の明るさが所定値Ｔｈより明るい場合には、部屋の明るさに関わりなく、常に一定量だけ、輝度とコントラストとが低減される。そして、部屋の明るさが所定値Ｔｈより暗くなる場合には、暗くなる程に、輝度の低減量とコントラストの低減量とは大きくなる（レベルＬは、記録再生信号処理部３３において、通常設定となるときに設定される輝度（コントラスト）のレベルを示している）。
【０１０７】
以上のことから、刺激緩和設定となる場合、部屋が充分に暗いときには、その暗さに対応する分だけ、輝度とコントラストとが低減され、目に対する過度な刺激が緩和されるようになっている。また、部屋が充分に明るいときであっても、刺激緩和設定となるときには、輝度やコントラストが、通常設定の場合より抑制されるようになっていて、アニメーション画像において急激な色の変化等が生じるときにも、目に過度な刺激が与えられることを防止するようになっている。
【０１０８】
ステップＳ５６によって輝度とコントラストとを低減した刺激緩和設定に移行した後には、制御部３５は、暗証コードが入力されたかどうか、再生の停止が入力されたかどうかを調べるループ動作に移行する（ステップＳ５７，Ｓ５８）。そして、暗証コードが入力されたときには、動作を、ステップＳ５７からステップＳ３１に移行し、入力された４桁の数値が、メモリ３６に記憶された４桁の数値に一致するかどうかを調べる。
【０１０９】
そして、入力された４桁の数値がメモリ３６に記憶された４桁の数値に一致する場合、刺激緩和設定の解除キー（決定キー等のように、その他の用途に用いるキースイッチを、解除キーに割り当てることができる）が操作されたかどうかを調べる（ステップＳ６２）。解除キーが操作されたときには、輝度の低減とコントラストの低減とを解除することによって、刺激緩和設定から通常設定に移行する（ステップＳ６４）。そして後、再生の停止の指示が入力されたかどうかを調べるループ動作に移行する（ステップＳ６５）。
【０１１０】
一方、暗証コードが一致した後に操作されたキースイッチが、解除キーとは異なるキースイッチの場合、あるいは、入力された数値がメモリ３６に記憶された数値に一致しない場合には、操作が無効であることを示すメッセージを映像信号に重畳することによって、操作が無効であることを、映像信号３４１が導かれたテレビ受像機において表示する（ステップＳ６３）。そして後、暗証コードが入力されたかどうか、再生の停止が入力されたかどうかを調べるループ動作に移行する（ステップＳ５７，Ｓ５８）。
【０１１１】
一方、再生する映像信号のジャンルがアニメーションであるかどうかを判定するステップＳ５４において、アニメーションではないと判定された場合、すなわち、再生する映像信号のジャンルが、アニメーションではなく、ニュースやスポーツ、あるいは、ドラマ等の場合には、動作は、ステップＳ５４からステップＳ６４に移行する。そして、ステップＳ６４に移行する前の設定が刺激緩和設定であるときには、映像信号３４１における輝度の低減とコントラストの低減とを解除することによって、刺激緩和設定から通常設定に移行する。また、ステップＳ６４に移行する前の設定が通常設定であるときには、その状態を維持する。そして後、再生の停止が入力されたかどうかを調べるループ動作に移行する（ステップＳ６５）。
【０１１２】
そして、ステップＳ５７，Ｓ５８により構成されるループ動作、あるいは、ステップＳ６５によるループ動作において、再生の停止を指示するキー操作がリモートコントローラ３８等に入力されると、再生を停止する（ステップＳ５９）。
【０１１３】
なお、本発明は上記実施形態に限定されず、テレビ受像機については、液晶表示器を用いた構成とする場合にも、同様に適用することができる。
【０１１４】
また、ＤＶＤ、等のディスクの再生を行うとともに、ハードディスクドライブを映像信号記録媒体として、受信した商用放送の映像信号、等を記録する装置、すなわち、ディスク再生装置と映像信号記録再生装置とが一体化された装置の場合にも、同様に適用することができる。
【図面の簡単な説明】
【０１１５】
【図１】本発明に係るテレビ受像機の一実施形態の電気的構成を示すブロック線図である。
【図２】テレビ受像機の実施形態の主要動作を示すフローチャートである。
【図３】輝度（コントラスト）のレベルと部屋の明るさとの関係を示す説明図である。
【図４】テレビ受像機の実施形態の前面の様子を示す説明図である。
【図５】本発明に係るディスク再生装置の一実施形態の電気的構成を示すブロック線図である。
【図６】ディスク再生装置の実施形態の主要動作を示すフローチャートである。
【図７】ディスク再生装置の実施形態の前面の様子を示す説明図である。
【図８】本発明に係る映像信号記録再生装置の一実施形態の電気的構成を示すブロック線図である。
【図９】映像信号記録再生装置の実施形態の記録時の主要動作を示すフローチャートである。
【図１０】映像信号記録再生装置の実施形態の再生時の主要動作を示すフローチャートである。
【図１１】映像信号記録再生装置の実施形態の前面の様子を示す説明図である。
【符号の説明】
【０１１６】
５  メモリ（記憶手段）
８  照度センサ
１０  入力手段
１８  メモリ（記憶手段）
２１  照度センサ
２２  入力手段
３６  メモリ（記憶手段）
３９  入力手段
４０  照度センサ
Ｓ６  通常設定を刺激緩和設定に変更するステップ
Ｓ２６  通常設定を刺激緩和設定に変更するステップ
Ｓ５６  通常設定を刺激緩和設定に変更するステップ
Ｓ１４  刺激緩和設定を解除するステップ
Ｓ３４  刺激緩和設定を解除するステップ
Ｓ６４  刺激緩和設定を解除するステップ
【図１】
2005295439.tif 000003
【図２】
2005295439.tif 000004
【図３】
2005295439.tif 000005
【図４】
2005295439.tif 000006
【図５】
2005295439.tif 000007
【図６】
2005295439.tif 000008
【図７】
2005295439.tif 000009
【図８】
2005295439.tif 000010
【図９】
2005295439.tif 000011
【図１０】
2005295439.tif 000012
【図１１】
2005295439.tif 000013